(57)【要約】【課題】横に倒しても内容物流出口部が汚れたり、破損したりすることがなく、しかも、飲むときの適正な傾斜角度が認識しやすく、しかも、口からこぼした液体食品等が直接肌を伝わって服の内側に流れ込みにくいトレーニング用カップを提供する。【解決手段】容器本体１と蓋体２とを備え、蓋体２を、容器本体１の上端開口部に対応する部分に略ドーム状に形成される蓋部１２と、この蓋部１２の頂部に形成される内容物流出口部１３と、蓋部１２の下端開口部の外周部から突設される鍔部１４とで構成し、鍔部１４の外周部を容器本体１の各部より外側に位置させ、かつ、鍔部１４の外周部の一側部分を、外側に向かって所定の長さ膨出させている。【選択図】図２
2004305568.tif 000002
【特許請求の範囲】
【請求項１】
有底筒状に形成された容器本体と、この容器本体の上端開口部を蓋する蓋体とを備え、上記蓋体を、上記容器本体の上端開口部に対応する部分に略ドーム状に形成される略ドーム状部分と、この略ドーム状部分の頂部に形成される内容物流出口部と、上記略ドーム状部分の下端開口部の外周部から突設される平板状鍔部とで構成し、上記平板状鍔部の外周部を容器本体の各部より外側に位置させ、かつ、上記平板状鍔部の外周部の一側部分を、外側に向かって所定の長さ膨出させていることを特徴とするトレーニング用カップ。
【請求項２】
上記蓋体の平板状鍔部の外周部から一対の把手が相対向するようにして突設されている請求項１記載のトレーニング用カップ。
【請求項３】
上記内容物流出口部を、上記略ドーム状部分の頂部上面に垂設される円筒部と、この円筒部の上端開口部の上面一側部分から垂設される内容物案内部と、この内容物案内部に対応する上記略ドーム状部分の頂部の部分に穿設される開口部とで構成し、上記略ドーム状部分の頂部を、上記開口部に向かって下るテーパー状に形成した請求項１または２記載のトレーニング用カップ。
【発明の詳細な説明】
【０００１】
【発明の属する技術分野】
本発明は、乳児等が液体食品等をコップ等の口から直接に摂取する訓練を行うために用いられるトレーニング用カップに関するものである。
【０００２】
一般に、乳児等にあっては、その成長に伴い、人口乳首のついた哺乳瓶や、ストローの付いたカップ等から、ミルク，ジュース等の液体食品や流動食品を摂取する時期が過ぎると、大きな口があるコップ等の口から直接に摂取することができるように、また、このときに上記液体食品等を口からこぼさないで摂取することができるように、訓練を行うのが一般的である。
【０００３】
そこで、乳児等が液体食品等をコップ等の口から直接に摂取する訓練を行うために用いられるものとして、例えば、図１０に示すように、容器本体４１と、この容器本体４１の上端開口部を着脱自在に蓋する筒状の蓋部材４２とからなり、この蓋部材４２の上端開口部から飲み口部４３を突設し、この飲み口部４３の案内部４３ａを、上記蓋部材４２の上端開口部の外周縁から外側に向かって徐々に上昇する傾斜面に形成した学習用飲料カップが提案されている（例えば、特許文献１参照）。図において、４４は一対の把手であり、図示の状態では、飲み口部４３と把手４４の位置は、上から見たときに、その周囲方向に９０度ずれている。
【０００４】
【特許文献１】
特開２０００−５０２３号公報（段落番号〔００６１〕〜〔００６５〕）
【０００５】
【発明が解決しようとする課題】
しかしながら、上記の学習用飲料カップでは、テーブル等の上面に置いた状態で、横に倒してしまうと、飲み口部４３の案内部４３ａの先端部分がテーブル等の上面に接触して、上記案内部４３ａの先端部分が汚れたり、破損したりする。しかも、容器本体４１を乳児等の口元に近接させたり、口の下側や顎等肌に接触させた状態で、乳児等は顔を下に向け、口を飲み口部４３の案内部４３ａの先端部分に付けて飲むため、飲むときの容器本体４１の適正な傾斜角度が認識しにくい。しかも、口からこぼした液体食品等がそのまま口の下側，顎，喉等肌を伝わって服の内側に流れ込むため、乳児等が気持ち悪がる。
【０００６】
本発明は、このような事情に鑑みなされたもので、横に倒しても内容物流出口部が汚れたり、破損したりすることがなく、しかも、飲むときの適正な傾斜角度が認識しやすく、しかも、口からこぼした液体食品等が直接肌を伝わって服の内側に流れ込みにくいトレーニング用カップの提供をその目的とする。
【０００７】
【課題を解決するための手段】
上記の目的を達成するため、本発明のトレーニング用カップは、有底筒状に形成された容器本体と、この容器本体の上端開口部を蓋する蓋体とを備え、上記蓋体を、上記容器本体の上端開口部に対応する部分に略ドーム状に形成される略ドーム状部分と、この略ドーム状部分の頂部に形成される内容物流出口部と、上記略ドーム状部分の下端開口部の外周部から突設される平板状鍔部とで構成し、上記平板状鍔部の外周部を容器本体の各部より外側に位置させ、かつ、上記平板状鍔部の外周部の一側部分を、外側に向かって所定の長さ膨出させているという構成をとる。
【０００８】
すなわち、本発明のトレーニング用カップは、有底筒状に形成された容器本体と、この容器本体の上端開口部を蓋する蓋体とを備えており、上記蓋体を、上記容器本体の上端開口部に対応する部分に略ドーム状に形成される略ドーム状部分と、この略ドーム状部分の頂部に形成される内容物流出口部と、上記略ドーム状部分の下端開口部の外周部から突設される平板状鍔部とで構成している。そして、上記平板状鍔部の外周部を容器本体の各部より外側に位置させているため、テーブル等の上面に置いた状態で、本発明のトレーニング用カップを横に倒しても、テーブル等の上面に上記平板状鍔部の外周部が接触するだけで、内容物流出口部がテーブル等の上面に接触することはなく、内容物流出口部が汚れたり、破損したりすることがない。しかも、上記平板状鍔部の外周部の一側部分を、外側に向かって所定の長さ膨出させているため、内容物を摂取する場合には、まず、上記膨出部分の外周部を乳児等の口の下側，顎等肌に当接させ、つぎに、容器本体を所定角度傾斜させて内容物流出口部を乳児等の口に付けるようにしてから内容物を摂取させるようにすると、摂取するときの容器本体の適正な傾斜角度が認識しやすくなる。しかも、液体食品等を口からこぼした場合にも、この液体食品等が肌を伝わって流下するのを上記鍔部で邪魔することができ、その間に液体食品等を拭き取る等することで、液体食品等が服の内側に流れ込むのを防止しやすくなる。
【０００９】
【発明の実施の形態】
つぎに、本発明の実施の形態を図面にもとづいて詳しく説明する。
【００１０】
図１〜図５は本発明のトレーニング用カップの一実施の形態を示している。この実施の形態では、トレーニング用カップとしてマグカップを用いている。これらの図において、１はミルク等の内容物を収容する容器本体（ボトル）であり、２はこのボトル１の上端開口部１ａ（図６参照）を蓋する蓋体（キャップ）であり、３は上記キャップ２の頂部に設けた内容物流出口部１３の上端開口部１９ａ（図２参照）を蓋する上キャップである。
【００１１】
上記ボトル１は、図６に示すように、逆円錐台形状に形成された（下側に向かって徐々に縮径する下すぼまり形状に形成された）透明な有底筒状に形成されており、その下端部外周面から環状袴部１１が突設されている。この環状袴部１１は、後述するキャップ２の鍔部１４より小さく形成されており、上面視では、上記鍔部１４に隠れて見えない（図５参照）。図６において、１ａは上記ボトル１の上端開口部で、１ｂは上記ボトル１の上端開口部１ａの外周面である。
【００１２】
上記キャップ２は、図６および図７に示すように、上記ボトル１の上端開口部１ａに対応する部分に略ドーム状に形成される蓋部（略ドーム状部分）１２と、この蓋部１２の頂部に形成される内容物流出口部１３と、この蓋部１２の下端部外周面から突設される略長方形平板状の鍔部（平板状鍔部）１４（図８参照）と、この鍔部１４の中央部下面から垂下する円筒状の係合壁部１５と、上記鍔部１４の両長辺部分（左右両側面部分）から突設される一対の把手１６とで構成されており、上記係合壁部１５の内周面が上記ボトル１の上端開口部１ａの外周面１ｂに着脱自在に嵌合している。また、上記鍔部１４の両短辺部分（前後両側面部分）が、中央が薄く、外側が少し厚くなるように形成されており、この前側短辺部分の薄肉部分が、使用時に、乳児等の口の下側，顎等の肌に当接しうるようにしている。
【００１３】
上記内容物流出口部１３は、上記蓋部１２の頂部に設けた開口部１２ａの外周部から上向きに垂設される円筒状支受部（円筒部）１９と、この円筒状支受部１９の上端開口部１９ａの前側部分から上向きに垂設される内容物案内部２０と、上記円筒状支受部１９内に、上記蓋部１２の頂部の開口部１２ａを閉塞する状態で、後側から前側に向かって下向き傾斜状に配設されるテーパー壁部２１と、上記内容物案内部２０に対応する上記テーパー壁部２１の部分（すなわち、上記テーパー壁部２１の前側部分）に上記円筒状支受部１９の内周部に沿って穿設される略１／３円弧状の内容物流出用の開口部２１ａ（図７参照）と、上記円筒状支受部１９の外周面から突設される１条の環状鍔部２２と、この環状鍔部２２の後側部分から突設される左右一対の突部２３とで構成されている。そして、上記両突部２３の内側面にそれぞれ、後述する上キャップ３の軸部２６ａを回動自在に係合，支受する軸穴２３ａ（図５参照）が形成されている。図９において、２４は上記テーパー壁部２１の上端部分に穿設された貫通孔である。なお、この実施の形態では、上記鍔部１４の前側短辺部分の、上記ボトル１の上端開口部１ａの外周面１ｂからの前後方向突出長さＬ１（図４参照）は、１０〜２５ｍｍに設定され、上記鍔部１４の前側短辺部分の、上記キャップ２の内容物案内部２０からの前後方向突出長さＬ２（図７参照）は、３０〜４５ｍｍに設定され、上記内容物案内部２０の先端面の、上記鍔部１４の上面からの高さＨ（図７参照）は、３０〜４５ｍｍに設定されている。
【００１４】
上記上キャップ３は、上記内容物流出口部１３の円筒状支受部１９の上端開口部１９ａに着脱自在に外嵌する有天円筒状蓋部２５と、この有天円筒状蓋部２５の後側部分から突設される連結部２６と、この連結部２６の左右両側面から突設される軸部２６ａとからなり、これら両軸部２６ａが上記内容物流出口部１３の両突部２３の軸穴２３ａに回動自在に係合している。
【００１５】
上記の構成において、使用時には、まず、上キャップ３を開蓋し、内容物流出口部１３の円筒状支受部１９の上端開口部１９ａを開放する。ついで、両手で両把手１６を持ってボトル１を持ち上げ、つぎに、キャップ２の鍔部１４の前側短辺部分の外周部を赤ちゃんの口の下側に当接させながら、ボトル１の底部を上方に回動させて傾斜させる。そして、内容物流出口部１３の内容物案内部２０の先端部分が赤ちゃんの口元に達すると、赤ちゃんは上記先端部分からミルク等の内容物を飲むことができる。
【００１６】
上記のように、この実施の形態のトレーニング用カップを用いると、赤ちゃんが、内容物流出口部１３からミルク等の内容物を直接飲む訓練をすることができる。しかも、このときに、ボトル１を所定の角度を傾斜させてから、飲むようにすると、このときのボトル１の傾斜角度を認識しやすくなる。しかも、テーブル等の上面に置いたボトル１を横に倒しても、キャップ２の鍔部１４がボトル１の環状袴部１１より大きいため、内容物流出口部１３の内容物案内部２０の先端部分がテーブル等の上面に接触して汚れたり、破損したりすることがない。しかも、ミルク等の内容物を口からこぼした場合にも、このミルク等の内容物が肌を伝わって流下するのをキャップ２の鍔部１４で邪魔して、服の内側に流れ込むのを防ぐことができる。
【００１７】
【発明の効果】
以上のように、本発明のトレーニング用カップによれば、蓋体の平板状鍔部の外周部を容器本体の各部より外側に位置させているため、テーブル等の上面に置いた状態で、本発明のトレーニング用カップを横に倒しても、テーブル等の上面に上記平板状鍔部の外周部が接触するだけで、内容物流出口部がテーブル等の上面に接触することはなく、内容物流出口部が汚れたり、破損したりすることがない。しかも、上記平板状鍔部の外周部の一側部分を、外側に向かって所定の長さ膨出させているため、内容物を摂取する場合には、まず、上記膨出部分の外周部を乳児等の口の下側，顎等肌に当接させ、つぎに、容器本体を所定角度傾斜させて内容物流出口部を乳児等の口に付けるようにしてから内容物を摂取させるようにすると、摂取するときの容器本体の適正な傾斜角度が認識しやすくなる。しかも、液体食品等を口からこぼした場合にも、この液体食品等が肌を伝わって流下するのを上記鍔部で邪魔することができ、その間に液体食品等を拭き取る等することで、液体食品等が服の内側に流れ込むのを防止することができる。
【００１８】
また、上記蓋体の平板状鍔部の外周部から一対の把手が相対向するようにして突設されている場合には、本発明のトレーニング用カップをマグカップとして用いることができる。
【００１９】
特に、上記内容物流出口部を、上記略ドーム状部分の頂部上面に垂設される円筒部と、この円筒部の上端開口部の上面一側から垂設される内容物案内部と、この内容物案内部に対応する上記略ドーム状部分の頂部の部分に穿設される開口部とで構成し、上記略ドーム状部分の頂部を、上記開口部に向かって下るテーパー状に形成した場合には、使用時に、傾けていた容器本体を垂直姿勢に戻したときに、内容物流出口部内にあった内容物を全て略ドーム状部分の頂部を流下させて、開口部分から容器本体内に戻すことができる。
【図面の簡単な説明】
【図１】本発明のトレーニング用カップの一実施の形態を示す斜視図である。
【図２】上記トレーニング用カップの要部の斜視図である。
【図３】上記トレーニング用カップの正面図である。
【図４】上記トレーニング用カップの側面図である。
【図５】上記トレーニング用カップの平面図である。
【図６】上記トレーニング用カップの断面図である。
【図７】上記トレーニング用カップの要部の断面図である。
【図８】上記トレーニング用カップの開口部の説明図である。
【図９】上記トレーニング用カップの要部の斜視図である。
【図１０】従来例を示す説明図である。
【符号の説明】
１  容器本体
２  蓋体
１２  蓋部
１３  内容物流出口部
１４  鍔部
１６  把手
【図１】
2004305568.tif 000003
【図２】
2004305568.tif 000004
【図３】
2004305568.tif 000005
【図４】
2004305568.tif 000006
【図５】
2004305568.tif 000007
【図６】
2004305568.tif 000008
【図７】
2004305568.tif 000009
【図８】
2004305568.tif 000010
【図９】
2004305568.tif 000011
【図１０】
2004305568.tif 000012